(57)【要約】【課題】  筐体の略中央に投写光学系を配置するとともに、照明光学系及び投写光学系を省スペースで配置することを可能とする投写型映像表示装置を提供する。【解決手段】  投写型映像表示装置１００は、照明光学系１２０及び投写光学系１１０を収容する筐体２００を有する。折り返しミラー５１は、投写光学系１１０の光軸に略垂直な水平方向において、投写光学系１１０と並ぶように配置される。投写光学系１１０の光軸に略垂直な水平方向において、光源１０の最外端と投写光学系１１０の光軸との距離は、折り返しミラー５１の最外端と投写光学系１１０の光軸との距離と略等しい。【選択図】  図５
2011209418.tif 000002
【特許請求の範囲】
【請求項１】
照明光学系及び投写光学系を収容する筐体を有する投写型映像表示装置であって、
前記照明光学系は、光源と、前記光源から出射された光を反射するミラーと、前記ミラーで反射された光を変調する光変調素子とを含み、
前記ミラーは、前記投写光学系の光軸に略垂直な水平方向において、前記投写光学系と並ぶように配置されており、
前記投写光学系の光軸に略垂直な水平方向において、前記光源の最外端と前記投写光学系の光軸との距離は、前記ミラーの最外端と前記投写光学系の光軸との距離と略等しいことを特徴とする投写型映像表示装置。
【請求項２】
前記投写光学系は、前記照明光学系から出射された光を投写領域側に反射する反射ミラーを有することを特徴とする請求項１に記載の投写型映像表示装置。
【請求項３】
前記反射ミラーは、平面ミラー及び凹面ミラーであり、
前記光変調素子は、前記投写光学系の光軸に対して、前記投写領域の反対側にシフトした位置に配置されることを特徴とする請求項２に記載の投写型映像表示装置。
【請求項４】
前記反射ミラーは、凸面ミラーであり、
前記光変調素子は、前記投写光学系の光軸に対して、前記投写領域の反対側にシフトした位置に配置されることを特徴とする請求項２に記載の投写型映像表示装置。
【請求項５】
前記反射ミラーは、凹面ミラーであり、
前記光変調素子は、前記投写光学系の光軸に対して、前記投写領域と同じ側にシフトした位置に配置されることを特徴とする請求項２に記載の投写型映像表示装置。
【発明の詳細な説明】
【技術分野】
【０００１】
本発明は、照明光学系及び投写光学系を収容する筐体を有する投写型映像表示装置に関する。
【背景技術】
【０００２】
従来、照明光学系から出射される光を投写領域に投写する投写光学系とを有する投写型映像表示装置が知られている。照明光学系は、例えば、光源と、光源から出射された光を変調する光変調素子とを含む。
【０００３】
ここで、照明光学系及び投写光学系を収容する筐体の高さ（厚み）方向において、筐体の小型化を図るために、照明光学系から出射される光を反射する折り返しミラーを利用する投写型映像表示装置が提案されている（例えば、特許文献１）。具体的には、折り返しミラーによって反射された光が光変調素子に入射するように折り返しミラーが配置される。
【先行技術文献】
【特許文献】
【０００４】
【特許文献１】特開２００４−４５７１８号公報
【発明の概要】
【発明が解決しようとする課題】
【０００５】
ところで、筐体の小型化が望まれている一方で、投写領域と略平行な水平方向（幅方向）において、筐体の略中央に投写光学系が配置されることが好ましい。
【０００６】
しかしながら、上述した投写型映像表示装置では、投写光学系の光軸方向において、投写光学系と光変調素子との間に折り返しミラーが配置される。すなわち、折り返しミラーが光変調素子の近傍に配置される。
【０００７】
従って、光源から折り返しミラーまでの光路長が長く、投写領域と略平行な水平方向（幅方向）において、筐体の略中央に投写光学系を配置することができない。
【０００８】
そこで、本発明は、上述した課題を解決するためになされたものであり、筐体の略中央に投写光学系を配置するとともに、照明光学系及び投写光学系を省スペースで配置することを可能とする投写型映像表示装置を提供することを目的とする。
【課題を解決するための手段】
【０００９】
第１の特徴に係る投写型映像表示装置は、照明光学系（照明光学系１２０）及び投写光学系（投写光学系１１０）を収容する筐体（筐体２００）を有する。前記照明光学系は、光源（光源１０）と、前記光源から出射された光を反射するミラー（折り返しミラー５１）と、前記ミラーで反射された光を変調する光変調素子（DMD７０）とを含む。前記ミラーは、前記投写光学系の光軸に略垂直な水平方向において、前記投写光学系と並ぶように配置される。前記投写光学系の光軸に略垂直な水平方向において、前記光源の最外端と前記投写光学系の光軸との距離は、前記ミラーの最外端と前記投写光学系の光軸との距離と略等しい。
【００１０】
第１の特徴において、前記投写光学系は、前記照明光学系から出射された光を投写領域側に反射する反射ミラーを有する。
【００１１】
第１の特徴において、前記反射ミラーは、平面ミラー及び凹面ミラーである。前記光変調素子は、前記投写光学系の光軸に対して、前記投写領域の反対側にシフトした位置に配置される。
【００１２】
第１の特徴において、前記反射ミラーは、凸面ミラーである。前記光変調素子は、前記投写光学系の光軸に対して、前記投写領域の反対側にシフトした位置に配置される。
【００１３】
第１の特徴において、前記反射ミラーは、凹面ミラーである。前記光変調素子は、前記投写光学系の光軸に対して、前記投写領域と同じ側にシフトした位置に配置される。
【発明の効果】
【００１４】
本発明によれば、筐体の略中央に投写光学系を配置するとともに、照明光学系及び投写光学系を省スペースで配置することを可能とする投写型映像表示装置を提供することができる。
【図面の簡単な説明】
【００１５】
【図１】第１実施形態に係る投写型映像表示装置１００の概略構成を示す図である。
【図２】第１実施形態に係る投写型映像表示装置１００の概略構成を示す図である。
【図３】第１実施形態に係る投写型映像表示装置１００の概略構成を示す図である。
【図４】第１実施形態に係る投写型映像表示装置１００の光学構成を示す図である。
【図５】第１実施形態に係る投写型映像表示装置１００の光学構成を示す図である。
【図６】変更例１に係る投写型映像表示装置１００の光学構成を示す図である。
【図７】変更例２に係る投写型映像表示装置１００の光学構成を示す図である。
【図８】変更例３に係る投写型映像表示装置１００の光学構成を示す図である。
【発明を実施するための形態】
【００１６】
以下において、本発明の実施形態に係る投写型映像表示装置について、図面を参照しながら説明する。なお、以下の図面の記載において、同一又は類似の部分には、同一又は類似の符号を付している。
【００１７】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１８】
［実施形態の概要］
実施形態に係る投写型映像表示装置は、照明光学系及び投写光学系を収容する筐体を有する。照明光学系は、光源と、光源から出射された光を反射するミラーと、ミラーで反射された光を変調する光変調素子とを含む。ミラーは、投写光学系の光軸に略垂直な水平方向において、投写光学系と並ぶように配置される。投写光学系の光軸に略垂直な水平方向において、光源の最外端と投写光学系の光軸との距離は、ミラーの最外端と投写光学系の光軸との距離と略等しい。
【００１９】
実施形態では、ミラーは、投写光学系の光軸に略垂直な水平方向において、投写光学系と並ぶように配置される。従って、投写光学系の光軸に略垂直な水平方向において、光源の最外端と投写光学系の光軸との距離は、ミラーの最外端と投写光学系の光軸との距離と略等しくすることができる。言い換えると、投写光学系の光軸に略垂直な水平方向において、筐体の略中央に投写光学系を配置することができる。
【００２０】
［第１実施形態］
（投写型映像表示装置の概略構成）
以下において、第１実施形態に係る投写型映像表示装置の概略構成について、図面を参照しながら説明する。図１は、第１実施形態に係る投写型映像表示装置１００の概略構成を示す斜視図である。図２は、第１実施形態に係る投写型映像表示装置１００（壁面投写）を示す図である。図３は、第１実施形態に係る投写型映像表示装置１００（壁面投写）を示す図である。
【００２１】
図１乃至図３に示すように、投写型映像表示装置１００は、筐体２００を有しており、投写領域４００（不図示）に映像を投写する。投写領域４００は、図２に示すように、床面に設けられていてもよく、図３に示すように、壁面に設けられてもよい。
【００２２】
ここで、投写型映像表示装置１００は、図２に示すように、第１基準面３１０（床面）上に配置される。すなわち、投写型映像表示装置１００は、第１基準面３１０（床面）に沿って配置される。図２に示すケースでは、投写型映像表示装置１００は、第２基準面３２０（壁面）に設けられた投写領域４００（例えば、スクリーン）に映像光を投写する。なお、図２では、投写型映像表示装置１００は、第２基準面３２０（壁面）に沿って配置されるが、必ずしも第２基準面３２０に沿って配置されなくてもよい。
【００２３】
或いは、投写型映像表示装置１００は、図３に示すように、第２基準面３２０（床面）上に配置される。すなわち、投写型映像表示装置１００は、第２基準面３２０（床面）に沿って配置される。図３に示すケースでは、投写型映像表示装置１００は、第２基準面３２０（床面）に設けられた投写領域４００に映像光を投写する。なお、図３では、投写型映像表示装置１００は、第１基準面３１０（壁面）に沿って配置されるが、必ずしも第１基準面３１０に沿って配置されなくてもよい。
【００２４】
なお、第１基準面３１０は、投写型映像表示装置１００を側面（図１に示すＡ方向）から見た場合に、後述する投写光学系の光軸（光軸方向）と略平行な面である。第２基準面３２０は、投写型映像表示装置１００を側面（図１に示すＡ方向）から見た場合に、後述する投写光学系の光軸（光軸方向）と略垂直な面である。
【００２５】
図１〜図３に示すように、筐体２００は、第１対向壁２１０と、第２対向壁２２０と、第１側壁２３０と、第２側壁２４０と、第３側壁２５０と、天板２６０とを有する。
【００２６】
第１対向壁２１０は、第１基準面３１０と対向する。例えば、図２に示すケース（壁面投写）では、第１対向壁２１０は、底面板を構成する。
【００２７】
第２対向壁２２０は、第２基準面３２０と対向する。例えば、図３に示すケース（床面投写）では、第２対向壁２２０は、底面板を構成する。
【００２８】
第１側壁２３０及び第２側壁２４０は、筐体２００の側面を構成する。第３側壁２５０は、第２対向壁２２０の反対側に設けられる筐体２００の側面を構成する。
【００２９】
天板２６０は、第１対向壁２１０の反対側に設けられる筐体２００の側面を構成する。ここで、天板２６０は、投写領域４００側に向けて下る傾斜面２６１を有する。傾斜面２６１は、投写型映像表示装置１００から出射された光を投写領域４００側に透過（投写）する透過領域２６２を有する。
【００３０】
（投写型映像表示装置の光学構成）
以下において、第１実施形態に係る投写型映像表示装置の光学構成について、図面を参照しながら説明する。図４及び図５は、第１実施形態に係る投写型映像表示装置１００の光学構成を示す図である。なお、図４は、図１に示すＡ方向から投写型映像表示装置１００を見た図である。図５は、図１に示すＢ方向から投写型映像表示装置１００を見た図である。なお、図４及び図５では、筐体２００が省略されていることに留意すべきである。
【００３１】
図４及び図５に示すように、投写型映像表示装置１００は、光源１０（光源１０Ｒ、光源１０Ｇ及び光源１０Ｂ）と、レンズ群２０（レンズ２０Ｒ、レンズ２０Ｇ、レンズ２０Ｂ）と、ダイクロイックプリズム３０と、ロッドインテグレータ４０と、折り返しミラー５１と、レンズ６１と、レンズ６２と、DMD７０と、投写光学系１１０とを有する。これらの光学素子は、筐体２００内に収容される。
【００３２】
光源１０は、複数色の色成分光を個別に出射するように構成される。また、光源１０には、光源１０で生じる熱を放熱するヒートシンク１１が併設されている。なお、光源１０は、例えば、光源１０Ｒ、光源１０Ｇ及び光源１０Ｂによって構成される。
【００３３】
光源１０Ｒは、赤成分光Ｒを出射する光源であり、例えば、赤ＬＥＤ（Ｌｉｇｈｔ  Ｅｍｉｔｔｉｎｇ  Ｄｉｏｄｅ）や赤ＬＤ（Ｌａｓｅｒ  Ｄｉｏｄｅ）である。光源１０Ｒには、金属などのように放熱性が良好な部材によって構成されるヒートシンク１１Ｒが併設される。
【００３４】
光源１０Ｇは、緑成分光Ｇを出射する光源であり、例えば、緑ＬＥＤや緑ＬＤである。光源１０Ｇには、金属などのように放熱性が良好な部材によって構成されるヒートシンク１１Ｇが併設される。
【００３５】
光源１０Ｂは、青成分光Ｂを出射する光源であり、例えば、青ＬＥＤや青ＬＤである。光源１０Ｂには、金属などのように放熱性が良好な部材によって構成されるヒートシンク１１Ｂが併設される。
【００３６】
第１実施形態では、光源１０は、図４に示すように、投写光学系１１０の光軸中心Ｃ２よりも第１対向壁２１０側（投写領域４００の反対側）に配置される。
【００３７】
レンズ２０Ｒは、光源１０Ｒから出射される赤成分光Ｒを集光するレンズである。レンズ２０Ｇは、光源１０Ｇから出射される緑成分光Ｇを集光するレンズである。レンズ２０Ｂは、光源１０Ｂから出射される青成分光Ｂを集光するレンズである。なお、レンズ２０Ｒ、レンズ２０Ｇ及びレンズ２０Ｂのそれぞれは、後述するDMD７０の有効領域に色成分光が照射されるように色成分光を集光する。また、レンズ２０Ｒ、レンズ２０Ｇ及びレンズ２０Ｂのそれぞれは、１つのレンズによって構成されてもよく、複数のレンズによって構成されてもよい。
【００３８】
ダイクロイックプリズム３０は、レンズ２０Ｒによって集光される赤成分光Ｒ、レンズ２０Ｇによって集光される緑成分光Ｇ、レンズ２０Ｂによって集光される青成分光Ｂを合成する。
【００３９】
ロッドインテグレータ４０は、光入射面と、光出射面と、光入射面の外周から光出射面の外周に亘って設けられる光反射側面とを有する。ロッドインテグレータ４０は、ダイクロイックプリズム３０から出射された色成分光を均一化する。詳細には、ロッドインテグレータ４０は、光反射側面で色成分光を反射することによって、色成分光を均一化する。なお、ロッドインテグレータ４０は、ガラスなどによって構成される中実ロッドであってもよく、ミラー面によって内面が構成される中空ロッドであってもよい。
【００４０】
例えば、第１実施形態では、ロッドインテグレータ４０は、光源１０から出射される光の進行方向に向けて、光の進行方向に垂直な断面が大きくなるテーパ形状を有する。但し、実施形態は、これに限定されるものではない。ロッドインテグレータ４０は、光源１０から出射される光の進行方向に向けて、光の進行方向に垂直な断面が小さくなる逆テーパ形状を有してもよい。
【００４１】
また、第１実施形態では、ロッドインテグレータ４０は、光源１０から出射される光の進行方向に垂直な断面が矩形形状である。例えば、ロッドインテグレータ４０の断面は、DMD７０の有効領域と相似形状を有する。なお、ロッドインテグレータ４０の断面は、光入射面及び光出射面を含むことは勿論である。
【００４２】
折り返しミラー５１は、ロッドインテグレータ４０から出射された光をDMD７０に導くために、光の光路を折り曲げる反射ミラーである。具体的には、折り返しミラー５１は、ロッドインテグレータ４０から出射された光をDMD７０側に反射する。
【００４３】
レンズ６１及びレンズ６２は、光源１０から出射された色成分光の拡大を抑制しながら、色成分光をDMD７０上に略結像するリレーレンズである。
【００４４】
DMD７０は、は、複数の微小ミラーによって構成されており、複数の微小ミラーは可動式である。各微小ミラーは、基本的に１画素に相当する。DMD７０は、各微小ミラーの角度を変更することによって、色成分光が有効光として投写光学系１１０側に導かれるように色成分光を反射するか否かを切り替える。
【００４５】
なお、DMD７０の中心は、投写光学系１１０の光軸（すなわち、投写光学系１１０に設けられるレンズ中心）からシフトしていることに留意すべきである。具体的には、図４に示すように、DMD７０の中心Ｃ１は、投写光学系１１０の光軸中心Ｃ２よりも第１対向壁２１０側（投写領域４００の反対側）にシフトしている。
【００４６】
また、DMD７０のシフト量（Ｃ２−Ｃ１）は、後述する投写光学系１１０の構成によって異なる。また、DMD７０のシフト方向は、光源１０の配置又は投写光学系１１０の構成によって異なる。
【００４７】
ここで、光源１０、レンズ群２０、ダイクロイックプリズム３０、ロッドインテグレータ４０、折り返しミラー５１、レンズ６１及びレンズ６２は、照明光学系１２０を構成することに留意すべきである。
【００４８】
投写光学系１１０は、DMD７０から出射された色成分光（映像光）を投写領域４００に投写する。具体的には、投写光学系１１０は、投写レンズ群１１１と、反射ミラー１１２と、反射ミラー１１３とを有する。
【００４９】
投写レンズ群１１１は、DMD７０から出射された色成分光（映像光）を反射ミラー１１２側に出射する。投写レンズ群１１１は、投写光学系１１０の光軸を中心とする略円形形状のレンズ、投写光学系１１０の光軸を中心とする略円形形状の一部分によって構成される形状（例えば、下半分の半円形状）のレンズなどを含む。
【００５０】
なお、投写レンズ群１１１に含まれるレンズの径は、反射ミラー１１２に近いほど大きいことに留意すべきである。
【００５１】
反射ミラー１１２は、投写レンズ群１１１から出射された色成分光（映像光）を反射する。反射ミラー１１２は、映像光を集光した上で、映像光を広角化する。例えば、反射ミラー１１２は、投写レンズ群１１１側に凹面を有する非球面ミラーである。ここで、反射ミラー１１２は、投写光学系１１０の光軸Ｃ２を中心とする略円形形状の一部分によって構成される形状（例えば、上半分の半円形状）を有する。
【００５２】
反射ミラー１１３は、反射ミラー１１２で反射された映像光を投写領域４００側に反射する。例えば、反射ミラー１１３は、平面ミラーである。
【００５３】
なお、反射ミラー１１２で集光された映像光は、反射ミラー１１３で反射された上で、筐体２００の傾斜面２６１に設けられた透過領域２６２を透過する。傾斜面２６１に設けられた透過領域２６２は、反射ミラー１１２によって映像光が略集光される位置近傍に設けられることが好ましい。また、投写レンズ群１１１で集光した光線を反射ミラー１１２で反射するように構成してもよい。
【００５４】
なお、投写光学系１１０の光軸方向における筐体２００のサイズは、投写領域４００と反射ミラー１１２との配置（距離）によって規定されることに留意すべきである。
【００５５】
第１実施形態では、図５に示すように、光源１０は、投写光学系１１０の光軸Ｃ２に略垂直な水平方向（図５に示すＣ方向）において、投写光学系１１０と並ぶように配置されている。折り返しミラー５１は、投写光学系１１０の光軸Ｃ２に略垂直な水平方向（図５に示すＣ方向）において、投写光学系１１０と並ぶように配置されている。折り返しミラー５１は、投写光学系１１０の光軸Ｃ２を挟んで光源１０の反対側に設けられる。
【００５６】
投写光学系１１０の光軸Ｃ２に略垂直な水平方向（図５に示すＣ方向）において、光源１０の最外端（すなわち、図５では、ヒートシンク１１Ｇの最外端）と投写光学系１１０の光軸Ｃ２との距離は、折り返しミラー５１の最外端と投写光学系１１０の光軸Ｃ２との距離と略等しい。
【００５７】
このような構成によって、投写光学系１１０は、投写光学系１１０の光軸Ｃ２に略垂直な水平方向（図５に示すＣ方向）において、筐体２００の略中央に配置される。
【００５８】
（作用及び効果）
第１実施形態では、折り返しミラー５１は、投写光学系１１０の光軸Ｃ２に略垂直な水平方向において、投写光学系１１０と並ぶように配置される。従って、投写光学系１１０の光軸Ｃ２に略垂直な水平方向において、光源１０の最外端と投写光学系１１０の光軸Ｃ２との距離は、折り返しミラー５１の最外端と投写光学系１１０の光軸Ｃ２との距離と略等しくすることができる。言い換えると、投写光学系１１０の光軸に略垂直な水平方向において、筐体２００の略中央に投写光学系１１０を配置することができる。
【００５９】
また、第１実施形態のように、投写型映像表示装置１００と投写領域４００との距離が非常に近い投写型映像表示装置１００では、投写光学系１１０のサイズが従来と比べて大きい。第１実施形態では、投写光学系１１０によって筐体２００内に生じるデッドスペースを有効に利用して、光源１０及び折り返しミラー５１が配置される。従って、DMD７０と折り返しミラー５１との距離を離して折り返しミラー５１を配置しても、折り返しミラー５１を配置するために筐体２００を大型化する必要がないことに留意すべきである。
【００６０】
［変更例１］
以下において、第１実施形態の変更例１について、図面を参照しながら説明する。以下においては、第１実施形態との相違点について主として説明する。具体的には、変更例１では、第１実施形態と比べて、投写光学系１１０の構成が異なっている。
【００６１】
（投写型映像表示装置の光学構成）
以下において、変更例１に係る投写型映像表示装置の光学構成について、図面を参照しながら説明する。図６は、第１実施形態に係る投写型映像表示装置１００の光学構成を示す図である。なお、図６は、図１に示すＡ方向から投写型映像表示装置１００を見た図である。また、図６では、図４と同様の構成について、同様の符号を付している。
【００６２】
図６に示すように、投写光学系１１０は、反射ミラー１１２及び反射ミラー１１３に代えて、反射ミラー１１４を有する。
【００６３】
反射ミラー１１４は、投写レンズ群１１１から出射された色成分光（映像光）を反射する。反射ミラー１１４は、映像光を集光せずに、映像光を広角化する。例えば、反射ミラー１１４は、投写レンズ群１１１側に凸面を有する非球面ミラーである。ここで、反射ミラー１１２は、投写光学系１１０の光軸Ｃ２を中心とする略円形形状の一部分によって構成される形状（例えば、上半分の半円形状）を有する。
【００６４】
なお、変更例１では、DMD７０の中心は、投写光学系１１０の光軸（すなわち、投写光学系１１０に設けられるレンズ中心）からシフトしていることに留意すべきである。具体的には、図６に示すように、DMD７０の中心Ｃ１は、投写光学系１１０の光軸中心Ｃ２よりも第１対向壁２１０側（投写領域４００の反対側）にシフトしている。
【００６５】
（作用及び効果）
変更例１では、投写光学系１１０の構成が第１実施形態と異なっていても、第１実施形態と同様の効果を得ることができる。すなわち、凸面を有する非球面ミラーを投写光学系１１０が有する場合であっても、第１実施形態と同様の効果を得ることができる。
【００６６】
［変更例２］
以下において、第１実施形態の変更例２について、図面を参照しながら説明する。以下においては、第１実施形態との相違点について主として説明する。具体的には、変更例２では、第１実施形態と比べて、投写光学系１１０の構成が異なっている。
【００６７】
（投写型映像表示装置の光学構成）
以下において、変更例２に係る投写型映像表示装置の光学構成について、図面を参照しながら説明する。図７は、第１実施形態に係る投写型映像表示装置１００の光学構成を示す図である。なお、図７は、図１に示すＡ方向から投写型映像表示装置１００を見た図である。また、図７では、図４と同様の構成について、同様の符号を付している。
【００６８】
図７に示すように、投写光学系１１０は、反射ミラー１１２及び反射ミラー１１３に代えて、投写レンズ１１５を有する。
【００６９】
投写レンズ１１５は、投写レンズ群１１１から出射された色成分光（映像光）を透過する。投写レンズ１１５は、映像光を集光せずに、映像光を広角化する。
【００７０】
なお、変更例２では、DMD７０の中心は、投写光学系１１０の光軸（すなわち、投写光学系１１０に設けられるレンズ中心）からシフトしていることに留意すべきである。具体的には、図６に示すように、DMD７０の中心Ｃ１は、投写光学系１１０の光軸中心Ｃ２よりも第１対向壁２１０側（投写領域４００の反対側）にシフトしている。
【００７１】
（作用及び効果）
変更例２では、投写光学系１１０の構成が第１実施形態と異なっていても、第１実施形態と同様の効果を得ることができる。すなわち、フロント投写の投写光学系１１０を用いる場合であっても、第１実施形態と同様の効果を得ることができる。
【００７２】
［変更例３］
以下において、第１実施形態の変更例３について、図面を参照しながら説明する。以下においては、第１実施形態との相違点について主として説明する。具体的には、変更例３では、第１実施形態と比べて、光源１０の配置が異なっている。
【００７３】
（投写型映像表示装置の光学構成）
以下において、変更例３に係る投写型映像表示装置の光学構成について、図面を参照しながら説明する。図８は、第１実施形態に係る投写型映像表示装置１００の光学構成を示す図である。なお、図８は、図１に示すＡ方向から投写型映像表示装置１００を見た図である。また、図８では、図４と同様の構成について、同様の符号を付している。
【００７４】
変更例３では、光源１０は、図８に示すように、投写光学系１１０の光軸中心Ｃ２よりも天板２６０側（投写領域４００側）に配置される。また、DMD７０の中心は、投写光学系１１０の光軸（すなわち、投写光学系１１０に設けられるレンズ中心）からシフトしていることに留意すべきである。具体的には、図８に示すように、DMD７０の中心Ｃ１は、投写光学系１１０の光軸中心Ｃ２よりも天板２６０側（投写領域４００側）にシフトしている。
【００７５】
また、図８に示すように、投写光学系１１０は、反射ミラー１１２及び反射ミラー１１３に代えて、反射ミラー１１６を有する。
【００７６】
反射ミラー１１６は、投写レンズ群１１１から出射された色成分光（映像光）を反射する。反射ミラー１１６は、映像光を集光せずに、映像光を広角化する。例えば、反射ミラー１１６は、投写レンズ群１１１側に凸面を有する非球面ミラーである。ここで、反射ミラー１１６は、投写光学系１１０の光軸Ｃ２を中心とする略円形形状の一部分によって構成される形状（例えば、上半分の半円形状）を有する。
【００７７】
（作用及び効果）
変更例３では、投写光学系１１０の構成及び光源１０の配置が第１実施形態と異なっていても、第１実施形態と同様の効果を得ることができる。すなわち、投写光学系１１０の光軸中心Ｃ２よりも天板２６０側（投写領域４００側）に光源１０が配置されている場合であっても、第１実施形態と同様の効果を得ることができる。
【００７８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７９】
実施形態では、光変調素子として、ＤＭＤ（Ｄｉｇｉｔａｌ  Ｍｉｃｒｏｍｉｒｒｏｒ  Ｄｅｖｉｃｅ）を例示したに過ぎない。光変調素子は、反射型の液晶パネルであってもよい。また、光変調素子は、透過型の液晶パネルであってもよい。
【００８０】
実施形態では、光源１０の一例として、ＬＥＤやＬＤなどの固体光源について例示したに過ぎない。光源１０は、ＵＨＰランプやキセノンランプなどの白色光源であってもよい。
【符号の説明】
【００８１】
１０…光源、１１…ヒートシンク、２０…レンズ群、３０…ダイクロイックプリズム、４０…ロッドインテグレータ、５１…折り返しミラー、６１〜６２…レンズ、７０…ＤＭＤ、１００…投写型映像表示装置、１１０…投写光学系、１１１…投写レンズ群、１１２…反射ミラー、１１３…反射ミラー、１１４…反射ミラー、１１５…投写レンズ、１１６…反射ミラー、１２０…照明光学系、１２１…支持体、２００…筐体、２１０…第１対向壁、２２０…第２対向壁、２３０…第１側壁、２４０…第２側壁、２５０…第３側壁、２６０…天板、２６１…傾斜面、２６２…透過領域、３１０…第１基準面、３２０…第２基準面、４００…投写領域
【図１】
2011209418.tif 000003
【図２】
2011209418.tif 000004
【図３】
2011209418.tif 000005
【図４】
2011209418.tif 000006
【図５】
2011209418.tif 000007
【図６】
2011209418.tif 000008
【図７】
2011209418.tif 000009
【図８】
2011209418.tif 000010